【事件の表示】
　特願２０１２−５２３４７１「装飾部品及びその形成方法」拒絶査定不服審判事件〔平成２４年１月１２日国際公開、ＷＯ２０１２／００４８７０、請求項の数（８）〕について、次のとおり審決する。
【結　論】
　原査定を取り消す。
　本願の発明は、特許すべきものとする。
【理　由】
第１　手続の経緯
　本願は，２０１０（平成２２）年７月７日を国際出願日とする出願であって，平成２５年９月１７日付け及び平成２６年４月３０日付けで拒絶理由が通知され，平成２６年７月７日に手続補正がなされたが，同年１２月２４日付けで拒絶査定がなされ，これに対し，平成２７年３月６日に拒絶査定不服審判の請求がなされると同時に手続補正（以下「本件補正」という。）がなされたものである。
第２　原査定の拒絶の理由の概要
　この出願の請求項１〜８に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　　　記
　刊行物１．実願平５−９４７９号（実開平６−６９２０１号）のＣＤ−Ｒ　　　　　ＯＭ
　　　　４．特開平８−８９３１３号公報
　　　　７．特開２００８−２９５６１０号公報
　　　　８．実願平４−５５３２６号（実開平６−１５５１１号）のＣＤ−　　　　　ＲＯＭ
　　　１１．実願昭５８−１７６９６７号（実開昭６０−８３４０６号）の　　　　　マイクロフィルム
　　　１２．特開平１０−２９６３８４号公報
　　　１３．特開２００６−１９２２３０号公報
　　　１４．実願昭５８−１１５００５号（実開昭６０−２２９０７）のマ　　　　　イクロフィルム（なお，拒絶査定では刊行物１４の文献番号を「　　　　　特開昭６０−２２９０７号公報」と記載していたが，拒絶査定の　　　　　当該番号は誤記である（平成２７年１月８日作成の応対記録を参　　　　　照）。）
・請求項１について
　刊行物１１には、軸部を有する止具を用いてシート状部材に取り付けられる金属製の装飾部品であって、部品本体の裏面側に設けられる、前記止具の軸部を係止するための軸部係止部とを有し、軸部係止部は、裏面から突出する円筒部と、円筒部の半径方向内側において前記軸部を受け入れ、変形させて係止するための係止空間とから成る発明が記載されている（明細書第６ページ２行〜第１０ページ６行、第１、３、５〜６図参照）。
　刊行物１には、表面に上下及び／又は左右に非対称な装飾が付与される装飾部品の発明が記載されている（明細書第１０段落、図１参照）。
　刊行物４には、凸部又は凹部から成る逃気通路を装飾面の方向を決める基準とする発明が記載されている（第１２段落、図１、３〜４参照）。
　また、平成２６年７月７日付け手続補正書による補正により付加された「前記円筒部（１４、３４、４４、５４、６４、１８４、１９４）の外周面（１４’、３４’、４４’、５４’、６４’、１８４’、１９４’）が、装飾部品（１０、３０、４０、５０、６０、６０’、１８０、１９０）がシート状部材（１、２）に取り付けられた際、シート状部材（１、２）に接する」との特定事項は、周知慣用技術である（例えば、新たに引用した刊行物１３〜１４参照）。
　してみれば、刊行物１１に記載された発明に、刊行物１に記載された発明、刊行物４に記載された発明及び周知慣用技術を適用することで、請求項１の構成を得ることは、当業者が容易に想到し得たものと認められる。
・請求項２ないし４について
　刊行物１１には、軸部係止部の裏面から突出する円筒部を、内径が突出方向に縮小するように成す発明が記載されている（明細書第８ページ１〜６行、第５図参照）。
　刊行物４に記載された発明は、請求項３の要件を満たしている（第１２段落、図１、３〜４参照）。
　装飾を、表面に設けた凹部及び／又は凸部と成す技術は、周知慣用技術である（例えば、刊行物７〜８参照）。
　してみれば、刊行物１１に記載された発明に、刊行物１に記載された発明、刊行物４に記載された発明及び周知慣用技術を適用することで、請求項２ないし４の構成を得ることは、当業者が容易に想到し得たものと認められる。
・請求項５ないし６について
　刊行物１２には、押出しパンチと、押込みパンチとで、カップ状部品（請求項５〜６の中間円筒部に相当）を生産する発明が記載されている（第９〜１１段落、図２参照）。
　また、既に説示したとおり、平成２６年７月７日付け手続補正書による補正により付加された上記特定事項は、周知慣用技術である。
　そして、生産効率を考慮して、刊行物１１に記載された円筒部、及び、刊行物４に記載された逃気通路を形成すべく、刊行物１２に記載された押出しパンチと、押込みパンチとの少なくとも一方の形状を変更するとともに、刊行物１１に記載された発明に、上記周知慣用技術を適用して、請求項５の構成を得ることは、当業者が容易に想到し得たものと認められる。
　さらに、刊行物１に記載された表面に上下及び／又は左右に非対称な装飾が付与すべく、刊行物１２に記載された押出しパンチと、押込みパンチとの少なくとも一方の形状を変更して、請求項６の構成を得ることは、当業者が容易に想到し得たものと認められる。
・請求項７ないし８について
　刊行物１１には、軸部を有する止具を用いてシート状部材に取り付けられる金属製の装飾部品であって、部品本体の裏面側に設けられる、前記止具の軸部を係止するための軸部係止部とを有し、軸部係止部は、裏面から突出する円筒部と、円筒部の半径方向内側において前記軸部を受け入れ、変形させて係止するための係止空間とから成る発明が記載されている（明細書第６ページ２行〜第１０ページ６行、第１、３、５〜６図参照）。
　刊行物１には、表面に上下及び／又は左右に非対称な装飾が付与される装飾部品の発明が記載されている（明細書第１０段落、図１参照）。
　刊行物４には、凸部又は凹部から成る逃気通路を装飾面の方向を決める基準とする発明が記載されている（第１２段落、図１、３〜４参照）。
　刊行物１２には、押出しパンチと、押込みパンチとで、カップ状部品（請求項５〜６の中間円筒部に相当）を生産する発明が記載されている（第９〜１１段落、図２参照）。
　そして、これらの行程で、いかなる形状に加工するかは、加工効率、被加工物の物性等を考慮して、当業者が適宜決定すべき事項である。
　また、既に説示したとおり、平成２６年７月７日付け手続補正書による補正により付加された上記特定事項は、周知慣用技術である。
　してみれば、刊行物１１に記載された発明に、刊行物１に記載された発明、刊行物４に記載された発明、刊行物１２に記載された発明及び周知慣用技術を適用することで、請求項７ないし８の構成を得ることは、当業者が容易に想到し得たものと認められる。
第３　本件補正について
　本件補正は，補正前の特許請求の範囲を，
「　【請求項１】
　軸部（２２、７２）を有する止具（２０、７０）を用いてシート状部材（１、２）に取り付けられる金属製の装飾部品（１０、３０、４０、５０、６０、６０’、１８０、１９０）であって、
　表面（１１ａ、３１ａ、５１ａ、６１ａ）に上下及び／又は左右に非対称な装飾（１２、３２、５２、６２）が付与される部品本体（１１、３１、４１、５１、６１、１８１、１９１）と、
　部品本体（１１、３１、４１、５１、６１、１８１、１９１）の裏面（１１ｂ、３１ｂ、４１ｂ、５１ｂ、６１ｂ、１８１ｂ、１９１ｂ）側に設けられる、前記止具（２０、７０）の軸部（２２、７２）を係止するための軸部係止部（１３、３３、４３、５３、６３、１８３、１９３）とを有し、
　軸部係止部（１３、３３、４３、５３、６３、１８３、１９３）は、裏面（１１ｂ、３１ｂ、４１ｂ、５１ｂ、６１ｂ、１８１ｂ、１９１ｂ）から突出する円筒部（１４、３４、４４、５４、６４、１８４、１９４）と、円筒部（１４、３４、４４、５４、６４、１８４、１９４）の半径方向内側において前記軸部（２２、７２）を受け入れ、変形させて係止するための係止空間（１５、３５、４５、５５、６５、１８５、１９５）とから成り、
　前記円筒部（１４、３４、４４、５４、６４、１８４、１９４）の外周面（１４’、３４’、４４’、５４’、６４’、１８４’、１９４’）に、前記装飾（１２、３２、５２、６２）の向きを裏面（１１ｂ、３１ｂ、４１ｂ、５１ｂ、６１ｂ、１８１ｂ、１９１ｂ）側から把握するための凹部及び／又は凸部から成る目印（１６、１６’、３６、４６、５６、６６、６６’、１８６、１９６）を設け、
　
前記装飾部品（１０、３０、４０、５０、６０、６０’、１８０、１９０）がシート状部材（１、２）に取り付けられた際、前記円筒部（１４、３４、４４、５４、６４、１８４、１９４）の外周面（１４’、３４’、４４’、５４’、６４’、１８４’、１９４’）が
とともに前記目印（１６、１６’、３６、４６、５６、６６、６６’、１８６、１９６）がシート状部材（１、２）に対面し、
　
前記円筒部（１４、３４、４４、５４、６４、１８４、１９４）は、外径が突出方向へと次第に縮小する
　　【請求項２】
　前記円筒部（１４、３４、４４、５４、１８４、１９４）は、内径が突出方向に縮小する請求項１の装飾部品。
　　【請求項３】
　前記目印（１６、１６’、３６、４６、５６、６６、６６’、１８６、１９６）は、前記装飾（１２、３２、５２、６２）の上下左右のいずれかの位置に設けられる請求項１又は２の装飾部品。
　　【請求項４】
　前記装飾（１２、３２、５２、６２）は、表面（１１ａ、３１ａ、５１ａ、６１ａ）に設けた凹部及び／又は凸部から成る請求項１〜３のいずれか一つの装飾部品。
　　【請求項５】
　軸部（２２）を有する止具（２０）を用いてシート状部材（１）に取り付けられる金属製の装飾部品（１０、３０、４０、５０、１８０、１９０）にして、表面（１１ａ、３１ａ、５１ａ）に上下及び／又は左右に非対称な装飾（１２、３２、５２）が付与される部品本体（１１、３１、４１、５１、１８１、１９１）と、部品本体（１１、３１、４１、５１、１８１、１９１）の裏面（１１ｂ、３１ｂ、４１ｂ、５１ｂ、１８１ｂ、１９１ｂ）側に設けられる、前記止具（２０）の軸部（２２）を係止するための軸部係止部（１３、３３、４３、５３、１８３、１９３）とを有し、軸部係止部（１３、３３、４３、５３、１８３、１９３）が、裏面（１１ｂ、３１ｂ、４１ｂ、５１ｂ、１８１ｂ、１９１ｂ）から突出する円筒部（１４、３４、４４、５４、１８４、１９４）と、円筒部（１４、３４、４４、５４、１８４、１９４）の半径方向内側において前記軸部（２２）を受け入れ、変形させて係止するための係止空間（１５、３５、４５、５５、１８５、１９５）とから成る装飾部品（１０、３０、４０、５０、１８０、１９０）を形成する方法であって、
　前記装飾部品（１０、３０、４０、５０、１８０、１９０）となる中間部品（１５０）にして、前記部品本体（１１、３１、４１、５１、１８１、１９１）となる中間部品本体（１５１）と、前記円筒部（１４、３４、４４、５４、１８４、１９４）及び係止空間（１５、３５、４５、５５、１８５、１９５）となる中間円筒部（１５４）及び中間係止空間（１５５）とを有する中間部品（１５０）を上下のダイ（１６０、１７０）間でプレスする工程を含み、
　前記プレスする工程において、一方のダイ（１６０）によって前記中間円筒部（１５４）の内径を突出方向に縮小させて円筒部（１４、３４、４４、５４、１８４、１９４）へと加工すると同時に、円筒部（１４、３４、４４、５４、１８４、１９４）の外周面（１４’、３４’、４４’、５４’、１８４’、１９４’）に前記装飾（１２、３２、５２）の向きを裏面（１１ｂ、３１ｂ、４１ｂ、５１ｂ、１８１ｂ、１９１ｂ）側から把握するための凹部及び／又は凸部から成る目印（１６、１６’、３６、４６、５６、１８６、１９６）を設け、
　
前記装飾部品（１０、３０、４０、５０、１８０、１９０）がシート状部材（１）に取り付けられた際、前記円筒部（１４、３４、４４、５４、１８４、１９４）の外周面（１４’、３４’、４４’、５４’、１８４’、１９４’）が
とともに前記目印（１６、１６’、３６、４６、５６、１８６、１９６）がシート状部材（１）に対面し、
　
前記円筒部（１４、３４、４４、５４、１８４、１９４）は、外径が突出方向へと次第に縮小する
　　【請求項６】
　前記プレスする工程において、他方のダイ（１７０）によって中間部品本体（１５１）の表面に凹部及び／又は凸部から成る装飾（１２、３２、５２）を設ける請求項５の装飾部品の形成方法。
　　【請求項７】
　軸部（２２）を有する止具（２０）を用いてシート状部材（１）に取り付けられる金属製の装飾部品（１０、３０、４０、５０、１８０、１９０）にして、表面（１１ａ、３１ａ、５１ａ）に上下及び／又は左右に非対称な装飾（１２、３２、５２）が付与される部品本体（１１、３１、４１、５１、１８１、１９１）と、部品本体（１１、３１、４１、５１、１８１、１９１）の裏面（１１ｂ、３１ｂ、４１ｂ、５１ｂ、１８１ｂ、１９１ｂ）側に設けられる、前記止具（２０）の軸部（２２）を係止するための軸部係止部（１３、３３、４３、５３、１８３、１９３）とを有し、軸部係止部（１３、３３、４３、５３、１８３、１９３）が、裏面（１１ｂ、３１ｂ、４１ｂ、５１ｂ、１８１ｂ、１９１ｂ）から突出しかつ内径が突出方向に縮小する円筒部（１４、３４、４４、５４、１８４、１９４）と、円筒部（１４、３４、４４、５４、１８４、１９４）の半径方向内側において前記軸部（２２）を受け入れ、変形させて係止するための係止空間（１５、３５、４５、５５、１８５、１９５）とから成る装飾部品（１０、３０、４０、５０、１８０、１９０）を形成する方法であって、
　金属製の線材（１００）を所定長さに切断する工程と、
　切断した線材（１００）をプレス加工して中間部品（１５０）を形成する工程であって、該中間部品（１５０）が、前記部品本体（１１、３１、４１、５１、１８１、１９１）となる中間部品本体（１５１）と、前記円筒部（１４、３４、４４、５４、１８４、１９４）となる、内径が突出方向に縮小していない中間円筒部（１５４）とを有する工程と、前記中間円筒部（１５４）の内径を突出方向に縮小させて前記円筒部（１４、３４、４４、５４、１８４、１９４）とする工程とを含み、　
　前記中間円筒部（１５４）の内径を突出方向に縮小させて前記円筒部（１４、３４、４４、５４、１８４、１９４）とする工程において、該円筒部（１４、３４、４４、５４、１８４、１９４）の外周面（１４’、３４’、４４’、５４’、１８４’、１９４’）に、前記装飾（１２、３２、５２）の向きを裏面（１１ｂ、３１ｂ、４１ｂ、５１ｂ、１８１ｂ、１９１ｂ）側から把握するための凹部及び／又は凸部から成る目印（１６、１６’、３６、４６、５６、１８６、１９６）を設け、
　
前記装飾部品（１０、３０、４０、５０、１８０、１９０）がシート状部材（１）に取り付けられた際、前記円筒部（１４、３４、４４、５４、１８４、１９４）の外周面（１４’、３４’、４４’、５４’、１８４’、１９４’）が
とともに前記目印（１６、１６’、３６、４６、５６、１８６、１９６）がシート状部材（１）に対面し、
　
前記円筒部（１４、３４、４４、５４、１８４、１９４）は、外径が突出方向へと次第に縮小する
　　【請求項８】
　前記中間部品本体（１５１）の表面に前記装飾（１２、３２、５２）を形成する工程を含み、該工程は、前記切断した線材（１００）をプレス加工して中間部品（１５０）を形成する工程と同時か、又は、前記中間円筒部（１５４）の内径を突出方向に縮小させて前記円筒部（１４、３４、４４、５４、１８４、１９４）とする工程と同時かこの工程後に行われる請求項７の装飾部品の形成方法。」
と補正するものである。（下線は補正箇所を示す。）
　なお，上記請求項１ないし請求項８においては，図面において使用された符号が記載されているが，本審決においては，当該符号については以下省略して請求項１ないし８に係る発明を記載することとする。
　そして，本件補正は，補正前の請求項１，５及び７に係る発明の特定事項である「円筒部」について，「前記装飾部品がシート状部材に取り付けられた際、前記円筒部の外周面がシート状部材に接するとともに前記目印がシート状部材に対面し、前記円筒部は、外径が突出方向へと次第に縮小する」と限定するものであって，本件補正は，特許法第１７条の２第５項第２号の特許請求の範囲の減縮を目的とするものに該当する。
　そこで，本件補正後の請求項１ないし８に係る発明（以下「本願発明１」ないし「本願発明８」という。）が，特許出願の際独立して特許を受けることができるものであるか（特許法第１７条の２第６項において準用する同法第１２６条第７項の規定に適合するか）について以下に検討する。
第４　独立特許要件（２９条２項）について
１　各刊行物の記載内容
（１）刊行物１１には，「釦等用鋲」について，第１〜１２図とともに次の事項が記載されている。
（１−ア）
「２．実用新案登録請求の範囲
１）頭部（１０）と、この頭部（１０）に一体に続く柱部（１１）とからなり、前記柱部（１１）は、その最先端部分が加締時に前記柱部（１１）の中心線（１６）と平行な力が加わる形状に作られており、かつ衝撃加圧成形による凹部（１７）を先端側外周に沿つて有することを特徴とする釦等用鋲。
２）前記凹部（１７）は、前記柱部（１１）の外周に沿つて等間隔に複数形成されている実用新案登録請求の範囲第１項記載の釦等用鋲。
３）前記凹部（１７）は、前記柱部（１１）の外周に沿つて連続する環状凹溝の形に形成されている実用新案登録請求の範囲第１項記載の釦等用鋲。」（明細書１頁４〜１６行）
（１−イ）
「　産業上の利用分野
　本考案は、釦やホック等を被服生地に取付ける際に用いる金属製の鋲に関し、柱部の先端部分を加圧変形させて釦やホック等に加締固定する釦等用の鋲に関する。
　　従来技術
　ジーンズ釦のように、金属製の鋲を用いる被服用釦は、一般に、円板状の頭部と、この頭部に一体に続く柱部とからなる鋲を用い、この鋲の柱部を生地に刺通した後、釦主体の中空筒部に加圧挿入することにより、前記柱部の先端部分を変形させて前記中空筒部に加締固定される。」（明細書１頁１８行〜２頁９行）
（１−ウ）
「上記鋲（Ａ１）を用いる釦主体（Ｂ）は、第５図に示すように、中空筒状の本体（２１）と、この本体（２１）に嵌着されたカバー（２２）と、この本体（２１）とカバー（２２）の間に挿入されたプレート（２３）とを有している。
　本体（２１）は、上端にカバー（２２）を係止するためのフランジ部（２４）を有し、かつ内部中央に底部（２５）から立上がる中空筒部（２６）を有し、この中空筒部（２６）の上端に上端部が外側に屈曲されて鋲係止用のフランジ部（２７）を形成している。
　この鋲（Ａ１）は、第６図に示すように柱部（１１）を被服生地（Ｃ）に挿通させた後、釦主体（Ｂ）の中空筒部（２６）に加圧挿入することにより柱部（１１）の先端部（１４）を釦主体（Ｂ）に設けられたプレート（２３）に加圧して変形させ、その変形した部分を中空筒部（２６）のフランジ部（２７）に加締固定された状態に使用される。このように鋲（Ａ１）を釦主体（Ｂ）に加締固定した状態において、鋲（Ａ１）の凹部（１７）は、釦主体（Ｂ）のフランジ部（２７）の位置にある。」（明細書７頁１６行〜８頁１６行）
（１−エ）
　金属製の「被服用釦」は極めて一般的なものであり，上記記載事項（１−イ）の「本考案は、釦やホック等を被服生地に取付ける際に用いる金属製の鋲に関し、柱部の先端部分を加圧変形させて釦やホック等に加締固定する釦等用の鋲に関する。」，同（１−ウ）の「この鋲（Ａ１）は、第６図に示すように柱部（１１）を被服生地（Ｃ）に挿通させた後、釦主体（Ｂ）の中空筒部（２６）に加圧挿入することにより柱部（１１）の先端部（１４）を釦主体（Ｂ）に設けられたプレート（２３）に加圧して変形させ、その変形した部分を中空筒部（２６）のフランジ部（２７）に加締固定された状態に使用される。」及び第６図からみて，刊行物１１には「柱部を有する鋲を用いて被服生地に取り付けられる金属製の被服用釦」が記載されている。
（１−オ）
　上記記載事項（１−ウ）の「上記鋲（Ａ１）を用いる釦主体（Ｂ）は、第５図に示すように、中空筒状の本体（２１）と、この本体（２１）に嵌着されたカバー（２２）と、この本体（２１）とカバー（２２）の間に挿入されたプレート（２３）とを有している。」及び第６図からみて，刊行物１１には，「表面にカバーを有する釦主体」が記載されている。
（１−カ）
　上記記載事項（１−ウ）の「中空筒状の本体（２１）と、・・・本体（２１）は、上端にカバー（２２）を係止するためのフランジ部（２４）を有し、かつ内部中央に底部（２５）から立上がる中空筒部（２６）を有し、この中空筒部（２６）の上端に上端部が外側に屈曲されて鋲係止用のフランジ部（２７）を形成している。この鋲（Ａ１）は、第６図に示すように柱部（１１）を被服生地（Ｃ）に挿通させた後、釦主体（Ｂ）の中空筒部（２６）に加圧挿入する」及び第６図からみて，刊行物１１には「釦主体の裏面側に設けられる，鋲の柱部を係止するための中空筒状本体を有し，中空筒状本体は，裏面から突出する筒部と，筒部の内部中央において前記柱部を受け入れ，変形させて係止するための中空筒部とから成る」ことが記載されている。
（１−キ）
　上記記載事項（１−ウ）の「本体（２１）は、上端にカバー（２２）を係止するためのフランジ部（２４）を有し、かつ内部中央に底部（２５）から立上がる中空筒部（２６）を有し・・・このように鋲（Ａ１）を釦主体（Ｂ）に加締固定した状態において、鋲（Ａ１）の凹部（１７）は、釦主体（Ｂ）のフランジ部（２７）の位置にある。」及び第６図からみて，刊行物１１には「被服用釦が被服生地に取り付けられた際，中空筒状本体の筒部の底部が被服生地に接する」ことが記載されている。
　そして，上記（１−ア）ないし（１−キ）を総合すると，刊行物１１には，以下の発明が記載されていると認められる。
「柱部を有する鋲を用いて被服生地に取り付けられる金属製の被服用釦であって，
　表面にカバーを有する釦主体と，
　釦主体の裏面側に設けられる，前記鋲の柱部を係止するための中空筒状本体を有し，
　中空筒状本体は，裏面から突出する筒部と，筒部の内部中央において前記柱部を受け入れ，変形させて係止するための中空筒部とから成り，
　前記被服用釦が被服生地に取り付けられた際，前記中空筒状本体の筒部の底部が被服生地に接する被服用釦。」（以下「引用発明」という。）
（２）刊行物１には，「前開きデザイン衣類」について，図１〜５とともに次の事項が記載されている。
（２−ア）
「【実用新案登録請求の範囲】
【請求項１】前袷用ボタンを上下に止着した前開き衣類であって、
前記ボタンの外表面部にワンポイント模様を施したことを特徴とする前開きデザイン衣類。
【請求項２】請求項１において、前記前袷用ボタンに代えて、ホックボタンが使用されており、このホックボタンの外表面部に対応した衣類の布地部分にはワンポイント模様を施している前開きデザイン衣類。
【請求項３】前記前袷用ボタンに代えて、相互に接離自在な一対の面ファスナーを、少なくとも一組以上、上下に列設したパジャマや肌着等の前開き衣類であって、
衣類の布地表面で前記面ファスナーの裏面側に位置する部分にワンポイント模様を施していることを特徴とするデザイン衣類。
【請求項４】請求項１乃至３の何れかにおいて、上記ワンポイント模様は、所望の図柄が刺繍、シール片の貼着、又はプリントによって施されたものであるデザイン衣類。」
（２−イ）
「【０００７】
　　【作用】
　上記構成を特徴とする請求項１に記載の本考案に係る衣類においては、前袷用ボタンを止着させたものであっても、ボタンの存在感をなくし、外表面部にワンポイント模様が施されているために、パジャマや肌着等の衣類全体に彩りやアクセントを与え、衣類のファッション性、スマートさを高めることができる。
　また、このようにファッション性を高める作用は、ホックボタンを適用した場合にも認められ（請求項２）、外観上非常にシンプルで装飾的効果をさほど発揮し得なかったホックボタンの取付けもファッショナブルに出来る。
　更に、このようなボタンに対しての部分的なワンポイト模様によれば、病人が着用するパジャマや肌着であっても、それら衣類本来の機能性や清潔さを害するような虞れも適切に回避することができる。
　　　【０００８】
　一方、請求項３に記載の本考案に係る衣類においては、面ファスナーの裏面側の衣類の布地表面部分にワンポイント模様を施すことにより、かかる面ファスナーの裏面側に相当する衣類の表面部分をデサイン化でき、やはり請求項１の場合と同様に、衣類の機能性等を害することなく、ファッション性、スマートさを高めることができる。」
（２−ウ）
「【００１０】
　上記のうち、前側の端縁部１に止着されるホックボタン２は、図２に示すように、肌着Ａの布地５の裏面側に配置されて、他方のホックボタン２ａに着脱するボタン本体部２０と、このボタン本体部２０を布地５に止着させるためのカシメ用リング２１とから構成されている。
　そして、このカシメ用リング２１に囲まれた布地５の表面位置にワンポイント模様６が設けられている。
　かかるワンポイント模様６としては、例えば図１の矢印Ｂの要部拡大正面図に示すように、華やかな色彩の花柄模様等の図柄が適宜採用されるが、その具体的な図柄としては、その他の所望の図形や文字等を適用できることは勿論である。
　また、ワンポイント模様６は、例えば所望の図柄を熱転写或いは一般の印刷と同様な手法で布地５の所定位置へプリントする方法の他、所望の図柄が記されたシールを布地５に貼着させるなどの方法でも形成できる。
　また、このようなワンポイント模様６は、ホックボタン２を布地５に止着する前、後の何れの作業時に作成してもよい。」
（３）刊行物４には，「加締脚付き装飾釦頭」について，図１〜４とともに次の事項が記載されている。
（３−ア）
「【０００２】
【従来の技術】本発明が対象とする加締脚付き装飾釦頭の従来の構成は、表面に方向性のある模様、図柄等の装飾面を有し、裏面に脚取付凹部を形成した合成樹脂製の釦頭主体と、加締用筒脚を凸設した基板の縁を座板の周縁で巻き込み固定した金属製の取付体とを、該取付体の座板を前記釦頭主体の脚取付凹部に嵌合接着して固定するようになっている。
【０００３】また加締脚付き装飾釦頭を対象物に加締固定する場合の装飾面の方向性を確保するために、釦頭主体の裏面の一部に突起とか印を設けている。」
（３−イ）
「【００１１】（実施例１）　図１及び図２に示すように、表面に方向性のある模様、図柄、記号等が形成された装飾面１を有し、裏面には脚取付凹部２を形成するとともに、該脚取付凹部２の内壁面であって装飾面１の方向性を決める位置となる一か所に、脚取付凹部２の底面に至る逃気通路８を形成した熱可塑性合成樹脂、例えば、ナイロン、ABS樹脂、ポリプロピレン製の釦頭主体３と、加締用筒脚４を絞り加工又はロウ付加工により形成した基板５の縁を座板６の周縁で巻き込み固定した金属製の取付体７とから成り、該取付体７の座板６を前記釦頭主体１の脚取付凹部２へ、エポキシ樹脂製の接着剤を用いて嵌合接着により固定した加締脚付き装飾釦頭の構成である。
【００１２】（実施例２）　図３に示すように、釦頭主体３を、その裏面に形成した脚取付凹部２の逃気通路８を四等分間隔とし、その内の一つの開口形状は平面半円形状で他は平面三角形状に形成して、平面半円形状の逃気通路８を装飾面１の方向性を決める基準に利用するようにした構成であり、他の構成は実施例１と同一構成であるから図示及び説明を省略する。」
（４）刊行物１３には，「飾りボタン等の装身具及びその製造方法」について，図１〜１７とともに次の事項が記載されている。
（４−ア）
「【００１６】
飾り部２６を備える基体部２は対象物１７に取り付けられる。例えば、被服、履物などの対象物の穴部１９に突出部６を挿通する一方、対象物１７の裏側において、突出部の下端３０を下部受け部３１の受容部３２内に置くとともに、下部受け部３１を突出部６に対して押圧し、突出部の下端３０を受容部３２内でかしめ、突出部６と下部受け部３１を連結する（図１、２、３参照）。また突出部６の下端周面の螺刻部３３にナット３７を螺着し、突出部６にナット３７を連結してもよい（図４乃至７参照）。基体部２を対象物１７に固着する手段は問わない。基体部２は突出部６を介して対象物１７に固着されるから、細毛の集合体からなる飾り部２６はその全体形状が乱れることもなく容易に取り付けられる。」
（４−イ）
「【００２５】
さらに突出部の下端部３０を下部受け部３１に挿入するとともに、押圧により突出部の下端部３０を下部受け部の受容部３２内でかしめて固定する工程がある。この工程では、被覆など対象物１７の穴部１９に対して、突出部６を対象物１７の表側から裏側へと挿通する一方、対象物１７の裏側において突出部の下端部３０を下部受け部の受容部３２内に置く。そして突出部６に対して下部受け部３２を押圧し、突出部の下端部３０を受容部３２内でかしめ、突出部６と下部受け部３２を連結する。これにより飾り部２６を有する基体部２が被服、履物などの対象物１７の所定箇所に固着され、ボタンなどの装身具１が取り付けられる。」
（５）刊行物１４には，「ボタン」について，第１〜８図とともに次の事項が記載されている。
（５−ア）
「実用新案登録請求の範囲
　大径の化粧板と、その周縁に結合されそこから下方へ延びるボタンバツクと、タツクまたはアイレツト挿入用中央孔を有しボタンバツク内部に挿入されている挿入部材とより成り、前記ボタンバツクと前記挿入部材とは軸線方向に移動可能である、ボタン。」
（６）刊行物７には，「ボタン本体」について，図１〜５とともに次の事項が記載されている。
（６−ア）
「【００１４】
  図４〜図６は、本発明の他の実施形態を示す。この実施形態は、円形頭部９とその裏面中央に連設された円筒部１１とを備え、可撓性シートＢの裏面側から打ち込まれた金属製の抜止め突起付きリベット１２を円筒部１１に圧入することによって可撓性シートＢに取り付けられるように構成されているボタン本体１Ｂに本発明を適用したものである。このボタン本体１Ｂは、二色の合成樹脂による射出成形品であって、図６の下段に示すように、円形頭部９の表面に二色に色分けされた面一状の模様が付されている。具体的には、このボタン本体１Ａは、図５、図６に示すように、頭部５の表面に凹凸模様６が形成された合成樹脂製のボタン基体７と、前記凹凸模様６における凹部６ａに前記凹凸模様６における凸部６ｂと面一状になるように充填された前記ボタン基体７とは異なる色の合成樹脂製の頭部装飾体８とから構成されている。前記頭部装飾体８の外周部８ａは、図４、図５に示すように、ボタン基体７の頭部５外周部の裏面側に回り込んだ状態に成形されている。」
（７）刊行物８には，「スナップのボタン」について，図１〜５とともに次の事項が記載されている。
（７−ア）
「【００１１】
　装飾体１は表面に凹凸模様を有し、背面にはスナップ連結用の筒状ピン３が設けられ、ダイキャストによって成形されている。」
（８）刊行物１２には，「リング状部品及びその製造方法と押出しパンチ」について，図１〜１２とともに次の事項が記載されている。
（８−ア）
「【０００９】
【発明の実施の形態】以下、本発明を図１乃至図８に示す実施例により詳細に説明するに、図１は本発明方法に係る加工工程を示すもので、（Ｉ）は予備据込み加工、（ＩＩ）は予備押出し加工、（ＩＩＩ）は主押出し加工、（ＩＶ）は打抜き加工の各工程であるが、切削や線材，棒材を変形することなく切断して円柱状素材１を得ることができる場合は、その端面矯正と外周面矯正を行なうための前記予備据込み加工工程（Ｉ）を経る必要はない。
【００１０】次に、前記円柱状素材１を予備押出し加工工程（ＩＩ）において、図２に示すように、予備押出しパンチ２で目的とするリング状部品の内径寸法φａより小さい内径寸法φｂを持つ第１のカップ状部品３に押出し成形する。このとき、目的とするリング状部品の内径寸法と同一大きさの内径寸法φａに押出し成形する場合より断面減少率が小さいので、円柱状素材１の変形率や拘束度合いが小さくなり、予備押出し加工時における成形荷重は小さくなる。
【００１１】そして次の主押出し加工工程（ＩＩＩ）で、前記予備押出し加工工程（ＩＩ）で得られた第１のカップ状部品３を、図３及び図４に示すように、押出しパンチ４で押出し成形する。この押出しパンチ４は目的とするリング状部品の内径寸法と同一大きさの内径寸法φａに成形するためのもので、リング状部品内径を成形する外形を有する円柱部（大径部）５と、その先端に前記予備押出し加工工程（ＩＩ）で成形した第１のカップ状部品３の内径寸法φｂより小さい外径φｃを有する凸部（小径部）６とを備え、前記大径部５，小径部６及びそれらと先端面，側面とをそれぞれＲで滑らかにつないだ構成の先端形状を有すものである。」
２　当審の判断
（１）本願発明１について
ア　対比
　本願発明１と引用発明とを対比する。
（ア）引用発明の「被服用釦」と本願発明１の「装飾部品」とを対比する。本願発明１の「装飾部品」は，本願明細書の段落【０００１】に「本発明は一般に装飾部品及びその形成方法に関し、詳しくは、上下又は左右の方向性を持つ装飾を表面に有する飾りボタン等の装飾部品、及びこのような装飾部品の形成方法に関する。」と記載され，同段落【０００９】に「上記課題を解決するため、本発明によれば、軸部を有する止具を用いてシート状部材（シート状部材には、生地、織物、布、不織布、フェルト、皮、樹脂シート等が含まれる）に取り付けられる金属製の装飾部品であって、表面に上下及び／又は左右に非対称な装飾が付与される部品本体と、部品本体の裏面側に設けられる、前記止具の軸部を係止するための軸部係止部とを有し、軸部係止部は、裏面から突出する円筒部と、円筒部の半径方向内側において前記軸部を受け入れ、変形させて係止するための係止空間とから成り、前記円筒部の外周面に、前記装飾の向きを裏面側から把握するための凹部及び／又は凸部から成る目印を設けた装飾部品が提供される。」と記載されていることからみて，「被服用釦」が含まれていることは明らかである。よって，引用発明の「被服用釦」は，本願発明１の「装飾部品」に相当するものである。
（イ）そして，引用発明の「柱部」，「鋲」，「被服生地」，「釦主体」及び「中空筒状本体」が，それぞれ，本願発明１の「軸部」，「止具」，「シート状部材」，「部品本体」及び「軸部係止部」に相当することは，明らかである。
（ウ）また，引用発明の「中空筒状本体の筒部及び中空筒部」が円筒状であり，該「中空筒部」の内部が「係止空間」を構成することは，技術常識（例えば，実公昭４４−５７９１号公報の「円筒突出部７を有する係合雌体」を参照。）から考えて自明であるから，引用発明の「中空筒状本体は，裏面から突出する筒部と，筒部の内部中央において前記柱部を受け入れ，変形させて係止するための中空筒部とから成り」は，本願発明１の「軸部係止部は、裏面から突出する円筒部と、円筒部の半径方向内側において前記軸部を受け入れ、変形させて係止するための係止空間とから成り」に相当する。
　そうすると，両者は，
＜一致点＞
「軸部を有する止具を用いてシート状部材に取り付けられる金属製の被服用釦であって、
　表面に上下及び／又は左右に非対称な装飾が付与される部品本体と、
　部品本体の裏面側に設けられる、前記止具の軸部を係止するための軸部係止部とを有し、
　軸部係止部は、裏面から突出する円筒部と、円筒部の半径方向内側において前記軸部を受け入れ、変形させて係止するための係止空間とから成る被服用釦。」
の点で一致し，以下の点にて相違する。　
＜相違点１＞
　本願発明１は「装飾部品」であって，「表面に上下及び／又は左右に非対称な装飾が付与される部品本体」を有し，「円筒部の外周面に、前記装飾の向きを裏面側から把握するための凹部及び／又は凸部から成る目印を設け」ているのに対し，引用発明は「被服用釦」であって，「装飾」を有するか否か不明であり，「目印」も有していない点。
＜相違点２＞
　「円筒部」について，本願発明１では「前記装飾部品がシート状部材に取り付けられた際、前記円筒部の外周面がシート状部材に接するとともに前記目印がシート状部材に対面し、前記円筒部は、外径が突出方向へと次第に縮小する」のに対して，引用発明では「前記被服用釦が被服生地に取り付けられた際，前記中空筒状本体の筒部の底部が被服生地に接する」のみであって，「目印がシート状部材に対面し、前記円筒部は、外径が突出方向へと次第に縮小する」構成ではない点。
イ　相違点１についての検討
　上記記載事項（３−ア）の「本発明が対象とする加締脚付き装飾釦頭の従来の構成は、表面に方向性のある模様、図柄等の装飾面を有し、・・・・・加締脚付き装飾釦頭を対象物に加締固定する場合の装飾面の方向性を確保するために、釦頭主体の裏面の一部に突起とか印を設けている。」からみて，刊行物４には「表面に方向性のある模様、図柄等の装飾面が付与される釦頭主体であって，該釦頭主体の裏面に，前記装飾の向きを裏面側から把握するための突起とか印を設ける」ことが記載されており，該「方向性のある模様、図柄等の装飾面が付与される釦頭主体」及び「突起とか印」が，機能からみて，それぞれ，本願発明１の「上下及び／又は左右に非対称な装飾が付与される部品本体」及び「凹部及び／又は凸部から成る目印」に相当する。
　しかし，刊行物４記載の「突起とか印」は，「釦頭主体」の裏面に設けられており，本願発明１の「円筒部」に相当する「加締用筒脚」の外周部には設けられていないとされているため，直感的視認性において相違する。そうすると，引用発明に上記刊行物４記載の公知技術を適用して，装飾性のある「装飾製品」とすることが可能であるとしても，該「突起とか印」を引用発明の「筒部」の外周部に必ずしも設けることとはならないし，そのように構成することが単なる設計的事項であるともいえない。
　また，上記記載事項（２−ア）〜（２−ウ），同（６−ア）及び同（７−ア）からみて，刊行物１，７及び８には「装飾の向きを裏面側から把握するための凹部及び／又は凸部から成る目印を設ける」ことは記載されていない。
　そうすると，刊行物１，４，７，８の記載事項を考慮しても，引用発明から相違点１における本願発明１の構成を想到することは，当業者が容易になし得るとは認められない。
ウ　相違点２についての検討
　本願発明１は，その「前記装飾部品がシート状部材に取り付けられた際、前記円筒部の外周面がシート状部材に接する」構成からみて，その「部品本体の裏面」と「シート状部材」の表面との間には隙間がなく，「円筒部の外周面」が「シート状部材」に圧入され，直接接触しているものであって，他の「被服生地」を係止可能としたものではない。
　一方，本願出願前に頒布された刊行物である特開２００５−２０４９１１号公報に「【００２４】この構成の第２実施形態のボタン２０を生地１に取り付けるため、第１実施形態と同様に、ボタン本体２１と止め具１２との間に生地１を挟み、止め具１２の先端部１２Ａをボタン本体２１の凹部２１Ａに挿通させるように押し付ける。すると、止め具１２の先端部１２Ａの突出部１２Ｅで生地１を押し引っ張りながら肩部１２Ｃに形成された角部１２Ｆとボタン本体２１の凹部２１Ａの開口端２１Ｅとの間で生地１が切断される。さらに、先端部１２Ａを凹部２１Ａに向けて押し付けると、図２（Ｂ）に示される通り、突出部１２Ｅが先端部１２Ａの平面部より没入することになり、これにより、先端部１２Ｅ全体が側方に膨出して凹部２１Ａの側面に押圧係止される。」と記載され（図２（Ｂ）参照），また，同刊行物である特開２００９−８２５６３号公報に「【００１７】シャンク受入部１３は、比較的径が小さい上方のシャンク受入小径部１３ａと、小径部１３ａよりも径が大きい下方のシャンク受入大拡部１３ｂとに区分され、小径部１３ａと大径部１３ｂとの境界にはシャンク受入段部１３ｃが形成される。更に、この段部１３ｃにおける小径部１３ａとの境目周囲に、段部１３ｃを成す面が小径部１３ａを成す面に対し縦断面９０度未満（本実施形態において約３０度）で交差するように下向きに突出する段部エッジ１３ｄが設けられる。小径部１３ａの軸方向長さは、後述するリベット２０のシャンク先端部２２ａの軸方向長さよりも若干長く設定され、また、小径部１３ａの閉底（上端）１３ａ’は、バー本体部１１の上下方向中間よりやや下方に位置する。大径部１３ｂの軸方向長さは、小径部１３ａのそれよりも短く、本実施形態において約１／２程度である。更に、
突出底部１２は、大径部１３ｂの開口周囲の下端部１２ａと、下端部１２ａから半径方向外側へと底面１１ｃからの高さが次第に低くなる傾斜部１２ｂとを有し
　しかし，引用発明は，単なる装飾釦ではなく，その「被服用釦が被服生地に取り付けられた際，前記中空筒状本体の筒部の底部が被服生地に接する」構成及び第６図からみて，該「中空筒状本体の筒部」により，その「釦主体」の裏面と「被服生地」表面との間に所定の間隔を保持するようにして，他の「被服生地」を係止可能とすることを前提としたものである。
　そうすると，本願発明１及び上記周知の事項と引用発明とは，他の「被服生地」を係止可能であるか否かの点で相違し，単なる装飾釦ではない引用発明に，上記周知の事項を適用して，本願発明１と同様の「装飾製品」とするために「円筒部の外周面がシート状部材に接する」構成とすることには，動機が存在しないし，むしろ，阻害要因があるというべきである。
　なお，原査定において，周知例として引用された刊行物１３には，上記記載事項（４−ア）〜（４−イ）及び図１からみても，「飾りボタンがシート状部材に取り付けられた際、円筒部の外周面がシート状部材に接する」点が記載されているとはいえない。また，同様に周知例として引用された刊行物１４も，上記記載事項（５−ア）及び図面の記載からみても，「飾りボタンがシート状部材に取り付けられた際、円筒部の外周面がシート状部材に接する」点は記載されていない。
　してみると，上記周知の事項を考慮しても，引用発明から相違点２における本願発明１の構成へ到ることは，当業者ならば容易に想到し得る事項であるとはいえない。
エ　効果について
　そして，相違点１及び２により，本願発明１は，引用発明，刊行物１，４，７及び８記載の事項並びに周知の事項から当業者といえども予測し得ない，本願明細書の段落【００２２】に記載された格別顕著な効果を奏するものである。
オ　まとめ
　したがって，本願発明１は，引用発明，刊行物１，４，７及び８の記載事項並びに周知の事項に基いて，当業者が容易に発明をすることができたものとは認められない。
（２）本願発明２ないし４について
　本願発明２ないし４は，本願発明１の特定事項を全て備え，かつその一部の事項についてさらに限定したものである。
　そして，上記「（１）本願発明１について」で判断したとおり，該限定を含まない本願発明１が，引用発明，刊行物１，４，７及び８の記載事項並びに周知の事項に基いて当業者が容易に発明をすることができたものではないから，本願発明１の特定事項を全て含む本願発明２ないし４も，引用発明，刊行物１，４，７及び８の記載事項並びに周知の事項に基いて当業者が容易に発明をすることができたものではない。
（３）本願発明５ないし８について
　本願発明５ないし８は，本願発明１の「装飾部品」を製造する装飾部品の形成方法であり，上記相違点２である「前記装飾部品がシート状部材（１）に取り付けられた際、前記円筒部の外周面がシート状部材（１）に接するとともに前記目印がシート状部材に対面し、前記円筒部は、外径が突出方向へと次第に縮小する」構成を含むものである。
　そして，上記記載事項（８−ア）からみて，刊行物１２には「リング状部品及びその製造方法」が記載されているものの，上記構成が記載されていないことは明らかである。そうであれば，上記「（１）本願発明１について　ウ　相違点２についての検討」における判断も併せて考えると，上記相違点２の構成については，本願発明１が引用発明，刊行物１，４，７及び８の記載事項及び周知の事項に基いて当業者が容易に発明をすることができたものではないのであるから，本願発明５ないし８も引用発明，刊行物１，４，７，８及び１２の記載事項及び周知の事項に基いて当業者が容易に発明をすることができたものとはいえない。
３　むすび
　したがって，本件補正は，特許法第１７条の２第６項において準用する同法第１２６条第７項の規定に適合する。
第５　本願発明
　以上のとおりであるから，本件補正は，特許法第１７条の２第３項ないし第６項の規定に適合し，本願発明１ないし８は，本件補正により補正された特許請求の範囲の請求項１ないし８に記載された事項により特定されるとおりのものである。
　そして，本願については，原査定の拒絶理由によって拒絶すべきものとすることはできない。
　また，他に本願を拒絶すべき理由を発見しない。
　よって，結論のとおり審決する。